(57)【特許請求の範囲】
【請求項１】
ボトル容器の注ぎ口に着脱自在に取り付けられる浄水器であって、  フィルタケースと、
前記フィルタケースに充填される濾過材と、
前記フィルタケースの上流側端部に延び、前記ボトル容器の注ぎ口に取り付けられるジョイントと、
前記ボトル容器の外部から前記ジョイントの壁面を貫通し、前記注ぎ口を通して前記ボトル容器内に延びる通気管とを備えたことを特徴とするボトル容器用浄水器。
【請求項２】
請求の範囲１記載のボトル容器用浄水器であって、前記通気管に、前記ボトル容器内に流入する空気流量を制御可能な空気流量制御手段を設ける、ボトル容器用浄水器。
【請求項３】
請求の範囲２記載のボトル容器用浄水器であって、前記空気流量制御手段は、前記通気管の空気流路を拡大及び縮小可能な弾性材からなる補助管である、ボトル容器用浄水器。
【請求項４】
請求の範囲２記載のボトル容器用浄水器であって、前記空気流量制御手段は、前記通気管の開口端部に嵌合する空気流量調整バルブである、ボトル容器用浄水器。
【請求項５】
請求の範囲１記載のボトル容器用浄水器であって、前記通気管の空気流入口が浄化水の希望する水位に合わせて移動可能に設けられる、ボトル容器用浄水器。
【請求項６】
請求の範囲１記載のボトル容器用浄水器であって、前記通気管の途中に、前記通気管の空気通路を拡大するエアーチャンバを設ける、ボトル容器用浄水器。
【請求項７】
請求の範囲６記載のボトル容器用浄水器であって、前記通気管は、摺動自在に連結され、かつ、前記エアーチャンバの下方位置で分離可能な上部管と下部管とからなる、ボトル容器用浄水器。
【請求項８】
請求の範囲１記載のボトル容器用浄水器であって、前記通気管にボトル容器内の水の逆流を抑制する屈曲部を設ける、ボトル容器用浄水器。
【請求項９】
請求の範囲１記載のボトル容器用浄水器であって、前記通気管のボトル容器側の端部に、先端に行くに従い孔径が絞られる空気吐出孔を設ける、ボトル容器用浄水器。
【請求項１０】
請求の範囲１記載のボトル容器用浄水器であって、前記フィルターケースの側面に隣接する位置からほぼ水平位置まで開閉可能な羽根板を前記ジョイントに設ける、ボトル容器用浄水器。
【請求項１１】
請求の範囲１記載のボトル容器用浄水器であって、前記フィルタケースの下流側に浄化水を給水孔に集めて下方に流す漏斗部を設ける、ボトル容器用浄水器。
【請求項１２】
請求の範囲１記載のボトル容器用浄水器であって、前記通気管の空気吐出部に多孔質体を設ける、ボトル容器用浄水器。
【請求項１３】
請求の範囲１記載のボトル容器用浄水器であって、前記通気管の空気流入部に逆止弁付きポンプを設ける、ボトル容器用浄水器。
【発明の詳細な説明】
技術分野
本発明は、ボトル容器用浄水器に関するもので、例えば、ペットボトル、その他のプラスチック、ガラス、セラミック、金属製のボトル容器に適用されるものである。
背景技術
近年、清涼飲料水、ミネラルウオータ等の充填容器として、ペットボトルが広く普及している。ペットボトルは、軽量で、耐久性および耐腐食性に優れるため、種々の再利用の方法が提案されている。
ペットボトルの再利用の方法としては、例えば特開平９−２４３６５号、特開平１１−７７０２６号公報に開示されるように、注ぎ口にフィルタを設けて浄水器として使用するものがある。この種の浄水器では、ペットボトルの注ぎ口に専用のキャップを設けて、このキャップの内部に濾過材を充填する。キャップの先端には浄化水の給水口を設ける。ペットボトルを傾けてグラス等に水を注ぐと、濾過材を通して水が浄化される。
しかしながら、このような従来のボトル容器用浄水器によると、ペットボトルから浄水器に水を通す場合、ボトル内に空気を取り込むための専用の空気通路がなく、注ぎ口からボトル内へ空気が入るため、浄水器から浄化水が流出しにくくなっている。特に、ペットボトルから多量の水を出そうとすると、ボトル内に吸い込まれる気泡が水の流れを邪魔するため、濾過材の浄化率を低下させる場合もある。
これに対し、ペットボトルの底部に通気孔を形成することが考えられるが、この場合、ペットボトルを加工する作業が面倒で、また、通気孔から水漏れを起こしやすくなるため好ましくない。
また、従来のボトル容器用浄水器では、安定した速度で時間をかけて水を濾過することができないため、浄化率を向上させにくく、良質な水が得られにくいといった問題もある。
そこで、本発明はこのような現状に鑑みなされたもので、ペットボトル等のボトル容器に簡単に取り付けることができ、しかも、浄化水の流量を安定させ、効率よく水を浄化するようにしたボトル容器用浄水器を提供することを目的としている。
また、本発明は、濾過速度を自在に制御可能にし、高い浄化率で良質の浄化水を得られるようにしたボトル容器用浄水器を提供することを目的としている。
発明の開示
前記課題を解決するための本発明によるボトル容器用浄水器は、ボトル容器の注ぎ口に着脱自在に取り付けられる浄水器であって、
フィルタケースと、
前記フィルタケースに充填される濾過材と、
前記フィルタケースの上流側端部に延び、前記ボトル容器の注ぎ口に取り付けられるジョイントと、
前記ボトル容器の外部から前記ジョイントの壁面を貫通し、前記注ぎ口を通して前記ボトル容器内に延びる通気管とを備える構成とした。
本発明のボトル容器用浄水器をボトル容器の注ぎ口に取り付けて下に向けると、ボトル容器内の水がその自重によって濾過材を通して下方へ流れ出る。このとき、通気管からボトル容器内に空気が流入するため、注ぎ口から濾過材を通してボトル容器内に空気が吸い込まれるのが防止される。これにより、浄化水の流量が安定し、濾過材が効率よく水を浄化する。
前記ボトル容器用浄水器において、ジョイントの壁面に通気管を貫通させてボトル容器内に導入するようにしたのは、次に理由による。
▲１▼  注ぎ口から濾過材を貫通してジョイントの下方に直接通気管を延ばすと、浄化水が通気管を伝ってしたたり落ちるため、このような浄化水の流れが通気管への空気流入を邪魔して濾過速度が安定しにくい。
▲２▼  注ぎ口からジョイントの下方に通気管を延ばすと、水の受け容器に浄水器を立てたときに、受け容器に溜まる水に通気管の下端が触れて空気が通らなくなる。
▲３▼  濾過材に通気管を貫通させると、通気管の外周付近に水道（みずみち）が生じやすく、濾過材に触れない水が多くなって浄化率が低下する。
本発明のボトル容器用浄水器は、前記通気管に、前記ボトル容器内に流入する空気流量を制御可能な空気流量制御手段を設けるとよい。通気管の空気流入量を制御することで、濾過材の浄化率を希望に応じて調節することができ、また、水と濾過材との接触時間を長くすることで、良質の浄化水を得ることができるためである。
また、本発明のボトル容器用浄水器には、前記通気管の途中に、前記通気管の空気通路を拡大するエアーチャンバを設けるとよい。
通気管の空気通路が一定の径であると、ボトル容器内の水圧の影響を受けて通気管に水が逆流しやすくなる。これに対し、通気管にチャンバを設けると、空気が通気管に流入する際、一旦、チャンバに蓄えられ、チャンバを通してボトル容器内に送られる。チャンバ内は、通気管の空気通路よりも圧力変動が小さく、内圧がほぼ一定に保たれるため、チャンバから均一な流量で空気がボトル容器に送られる。この結果、通気管に水が逆流しにくくなり、通気管への空気の流入がより円滑に行われるため、浄化水の流量が安定し、浄化率が向上する。
また、本発明の卓上型浄水器は、前記フィルタの下流側に浄化水を給水孔に集めて下方に流す漏斗部を設けるとよい。
ボトル容器から多量に水を出そうとすると、ボトル容器内の空気圧が低くなるので、浄水器の下流側からボトル容器内に外気が吸い込まれやすくなる。前記漏斗部を設けると、浄水時に給水孔に水が満たされるため、浄水器の下流側からボトル容器内に外気が吸い込まれるのが確実に防止される。これにより、浄化水の流れがさらにズムースになり、浄化の操作を行いやすくなる。
発明を実施するための最良の形態
以下、本発明の実施例を図面に基づいて説明する。
本発明の第１実施例によるボトル容器用浄水器を図１および図２に示す。
浄水器１は、プラスチック、セラミック、金属等からなる筒状のフィルタケース２に濾過材３が充填される。フィルタケース２の筒孔に水が通過するようになっている。フィルタケース２の筒端部にはペットボトルＰの注ぎ口Ｐｍに嵌合可能なジョイント５が形成される。ジョイント５にはペットボトルＰ内に空気を導入するための通気管６が取り付けられる。
ジョイント５の上端部には、ペットボトルＰを取り付けるための雌ネジ部５ａが形成されている。雌ネジ部５ａは、ペットボトルＰの注ぎ口Ｐｍにネジ固定される。注ぎ口Ｐｍの付け根部まで雌ネジ部５ａをねじ込むと、ジョイント５とペットボトルＰとが密に嵌合し、嵌合部からの水漏れがなくなる。
ジョイント５の内周壁にはストッパ１１が設けられる。注ぎ口Ｐｍに雌ネジ部５ａをねじ込むとき、ストッパ１１に当たることで、雌ネジ部５ａが過剰にねじ込まれるのが防止される。
ジョイント５の下部には鍔１３が形成される。鍔１３の下面がほぼ水平になっている。鍋、やかん、水差し等の受け容器に鍔１３を係止することで、浄水時に作業者の負担を軽減することができる。
なお、図１破線に示すような補助板Ｔに鍔１３を載せ、受け容器の縁の部分で補助板Ｔの両端部を支持するようにしてもよい。
通気管６は、ゴム、シリコン、プラスチック、金属、セラミック等からなるもので、ジョイント５の壁面を貫通し、上方へ曲がってボトル容器内に延びる。通気管６の管内に外部とペットボトルＰ内を連通する空気通路が形成される。
ジョイント５の筒内には、通気管６を支持する支持板１２が固定される。支持板１２の中央の貫通孔に通気管６が通される。支持板１２の板面には、注ぎ口Ｐｍからの水の流れを確保するための通水孔Ｈが形成されている。
通気管６の途中にはチャンバ１４が設けられる。ジョイント５の側方から通気管６に入った空気は、チャンバ１４に一旦蓄えられ、その後、チャンバ１４からボトル容器２内へ送られる。
チャンバ１４の位置については、ジョイント５の雌ネジ部５ａよりも上方に設定される。これは、注ぎ口Ｐｍにジョイント５を付けたとき、チャンバ１４が注ぎ口Ｐｍの内側に保持されると、水の通路が狭くなって流れを遮るためである。
通気管６の入口部には、ゴム、シリコン等の弾性材からなる補助管１５が取り付けられる。補助管１５は、中間位置で自在に折り曲げ可能になっている。ジョイント５の側面には、補助管１５の端部を保持する止め具１６が設けられる。補助管１５を折り曲げて止め具１６に保持すると、補助管１５の折曲部で空気通路が狭くなり、空気の流入量が制限される。これにより、補助管１５を折り曲げるか否かによって空気の流入量を調節し、浄水量を切り替えられる。
補助管１５の先端には、栓１７が脱着可能に嵌合する。浄水時には栓１７を外し通気管６に空気を送る。浄水器１を保管するときには、補助管１６に栓１７を嵌め、通気管６に埃等が侵入するのを防止する。
通気管６の入口部については、受け容器の希望する深さに空気流入口を配置することにより、浄化水の水位センサとして用いることができる。すなわち、通気管６の空気流入口は、浄化水の希望する水位に合わせて移動可能にすることで、浄化水の溜まる量を空気流入口の位置で停止させることができる。
例えば図２二点鎖線に示すように、ジョイント５の下方位置Ｌ１に空気流入口を配置すると、浄化水の水位がＬ１位置になったときに、空気流入口に水面が触れて、ペットボトルＰ内への空気流入が遮断され、水の浄化が自動的に停止する。また、受け容器に多量の浄化水を溜める場合は、ジョイント５の上方位置Ｌ２に空気流入口を配置すると、浄化水の水位がＬ２位置になるまで、水の浄化を連続して行うことができる。
これにより、受け容器から浄化水が溢れるのを未然に防止することが可能になる。
なお、通気管の空気流入口を移動させる手段としては、例えば、図２に示すように、通気管の外側の端部をＬ字形に折り曲げてその先端部に上下にスライド可能な補助管を設けるか、または、通気管の外側の端部にフレキシブルチューブを接続し、このチューブの他端をクリップ等で任意の位置に止める等の手段を挙げることができる。
通気管６の出口部には、屈曲部６ａが設けられる。屈曲部６ａは、逆Ｕ字状に折れ曲がり、下方に向けられる。この屈曲部６ａによると、ペットボトルＰ内に水の揺れや振動を生じても通気管６に水が逆流しにくくなるため、通気管６からペットボトルＰに空気が流入しやすくなる。
なお、屈曲部６ａの形状は、横向きや下向き（斜め下向きを含む。）の出口部を形成するものであれば水の逆流を防止することができる。従って、前記実施例のように屈曲部６ａを逆Ｕ字状に形成する他、逆Ｖ字、逆Ｌ字状等に形成してもよい。
また、屈曲部６ａ先端の空気吐出孔は、先端に行くに従い孔径が絞られている。これにより、屈曲部６ａからボトル内へ吐出する空気の吐出圧がノズル効果によって高まるため、浄水時の空気流入量が安定し、通気管６への水の逆流が確実に防止される。
なお、屈曲部６ａの孔径を十分に小さくすると、屈曲部６ａやチャンバ１４を設けなくとも、通気管６への水の逆流を防止することができる。従って、必要に応じて、通気管６から屈曲部６ａ、チャンバ１４のいずれか一方、または両方を省略する構成とすることも可能である。
図２に示すように、フィルタケース２の端部には、雄ネジ部２ａ、２ｂが形成されている。雄ネジ部２ａは、ジョイント５の下端の雌ネジ部５ｂに嵌合可能になっている。
雄ネジ部２ａ、２ｂの先端には蓋板４が設けられる。蓋板４の板面には通水孔Ｋが形成されており、蓋板４の外側に通水孔Ｋを塞ぐネット７が固定される。濾過材３は、ネット７によって通水孔Ｋから外部に飛び出すのが防止される。
蓋板４の内側には各通水孔Ｋを仕切る仕切壁８が形成される。仕切壁８は、隣り合う通水孔Ｋの間に均一の長さでフィルタケース２内側に延びている。フィルタケース２に取り込まれる水は、仕切壁８によって、濾過材３の一カ所に偏ることなく、濾過材３の全体に均等に流れる。
フィルタケース２の雄ネジ部２ｂには、筒状のアダプタ１９がネジ固定される。アダプタ１９の下端部には弁体２７および弁蓋２８が取り付けられる。
円盤形の弁体２７は、その下面中央に突起部が形成される。突起部の先端にはＯリング２７ａが取り付けられる。弁体２７の板面には、フィルタケース２の通水孔Ｋに連通する通水孔Ｌが形成される。
弁蓋２８は、筒部２８ａと漏斗部２８ｂとからなる。筒部２８ａの内側に漏斗部２８ｂが形成される。漏斗部２８ｂは、径方向内側に向けて次第に下方へ傾斜しており、その中央下端部には、浄化水を一カ所に集めて下方へ流す給水孔Ｍが形成される。筒部２８ａの上端部には、アダプタ１９に嵌合可能な雌ネジ部が形成されている。
アダプタ１９に弁蓋２８をネジ嵌合すると、図２の状態では、漏斗部２８ｂの傾斜面とＯリング２７ａとの間に隙間を生じるため、浄化水がこの隙間を通って給水孔Ｍから下方へ流れる。図２の状態から弁蓋２８をアダプタ１９側へ締め付けると、漏斗部２８ｂの傾斜面とＯリングとが密着し、給水孔Ｍが閉じる。
ここで、漏斗部２８ｂにより浄化水を給水口Ｍに集めて下方に流すようにしたのは、浄化の際に弁蓋２８の下方の空気が濾過材３側へ吸い込まれないようにするためである。
比較例として、弁蓋２８を外した状態で浄化を行う場合、濾過材３を通過した水は、弁体２７の複数の通水孔Ｌから下方にしたたり落ちる。この場合、濾過材３に生じた水道（みずみち）の影響により、すべての通水孔Ｌに均等な量の水が流れることなく、流量の多い通水孔Ｌと流量の少ない通水孔Ｌが生じることになる。
このような状態で、ペットボトルＰに通気管６から空気を送っても、一部の通水孔Ｌ（流量の少ない部分）から空気がペットボトルＰに吸い込まれるため、通気管６の空気の流入が減り、浄水器１に水が流れにくくなる。
これに対し、浄化水を給水口Ｍの一カ所に集めて流すと、浄化時に水の流れによって給水口Ｍが塞がれるため、濾過材３の下方からペットボトルＰへのへ空気の吸い込みが断たれ、通気管６が有効に作用して浄水器１に水が流れやすくなる。
フィルタケース２の上下の雄ネジ部２ａ、２ｂの形状については、ネジ径およびネジピッチが互いに等しくなるように形成される。フィルタケース２を上下反転させると、雄ネジ部２ａに弁体２７および弁蓋２８が嵌合可能になり、雄ネジ部２ｂにジョイント５が嵌合可能になる。
濾過材３には、活性炭、セラミック、ミネラル等が用いられる。濾過材３は、定期的に洗浄、再生等の処理を施すとよい。例えば、給水容器１１から濾過材３を取り外し、フィルタケース２から濾過材３を取り出して熱処理等を施す。また、濾過材３を上下反転させて給水容器１１に取り付けることで、濾過材３の逆洗を簡単に行うことができる。
金属、プラスチック、セラミック等の耐熱性を有するフィルタケース２を採用すれば、濾過材３を直接オーブン、レンジ等で加熱したり、熱湯を流すことで濾過材３を簡単に再生することができる。
図１に示すように、弁蓋１３の下端部には、脚２８ｃが周方向に等間隔で形成される。浄水時に鍋等の受け容器に脚２８ｃを置き、浄水器１０を起立状態で保持すると、浄化水が脚２８ｃの間の隙間から受け容器に流れ出る。これにより、浄化時間が長くなっても、使用者が浄水器１０を長時間手で支える必要がなくなり、作業の負担が少なくなる。
次に、浄水器１の使用方法の一例について説明する。
水を浄化する場合、まず、ペットボトルＰに所定量の水を入れ、注ぎ口Ｐｍにジョイント５を嵌合して浄水器１を上下逆さ向きに取り付ける。
次いで、浄水器１とともにペットボトルＰを上下反転させ、栓１７を外して通気管６の空気通路を開放する。すると、通気管６からボトル内に空気が流入し、ペットボトルＰ内の水が濾過材３を通過し、給水孔Ｍから下方に流れ出る。
通気管６に流入する空気は、チャンバ１４内に一旦保持され、ほぼ一定の空気圧に保たれるので、ペットボトルＰ内に気泡として連続的に浮き上がる。
通気管６の空気通路を開放するタイミングは、前述したように、ペットボトルＰを反転させた後にするのが望ましい。これは、反転時にペットボトルＰ内の水が激しく動くことから、通気管６を閉じていないと、空気通路に水が浸入しやすくなるためである。すなわち、栓１７を外すタイミングにより、通気管６への空気流入がスムーズに開始されることになる。
浄水器１を保管する場合は、ペットボトル内の水が無くなった後、通気管６を塞いでボトル側面を押すと、濾過材３に残留する水が空気圧により下方に押し出される。濾過材３の残留水を十分の取り除いた後、注ぎ口Ｐｍからジョイント５を取り外す。これにより、濾過材３が容易に乾燥し、雑菌が発生しにくくなり、濾過材３のコンディションを良好に保つ。また、塩素等の揮発性の不純物が濾過材３から容易に取り除かれる。
このように第１実施例の浄水器１によると、ペットボトルＰに浄水器１を取り付けることで手軽に水の浄化を行うことができる。浄水時には通気管６によりペットボトルＰに一定量の空気が流入するため、注ぎ口Ｐｍからの浄化水の流出が安定する。また、ペットボトルＰに加工をする必要がないため、操作の手間も少ない。
次に、本発明の他の実施例を説明する。以下に示す実施例において、前記第１実施例と実質的に同一の作用・効果を奏する構成部分には同一の符号を付し、説明を省略する。
本発明の第２実施例を図３および図４に示す。
第２実施例による浄水器３０は、ネジ込み式のジョイント５に代えて、押し込み式のジョイント３１を設けたものである。
プラスチック、ゴム等の弾性材からなるジョイント３１の周面に一定の間隔を保って円板３１ａ〜３１ｄが固定されている。円板３１ａ〜３１ｄの外径は、ジョイント３１の先端側へ行くほど小さくなる。円板３１ａ〜３１ｄに力が加わると、力の作用する方向に沿って板面が自在に撓む。
ジョイント３１の内側には通気管６が貫通している。通気管６は、ジョイント３１の側方から壁面を貫通し、上方へ延びている。ジョイント３１の内壁面に通気管６が一体成形または接着剤等により固定される。
浄水器３０を使用する場合、ペットボトルＰの注ぎ口Ｐｍに通気管６を入れ、次いで、注ぎ口Ｐｍにジョイント３１を押し込む。このとき、図４に示すように、円板３１ａ〜３１ｄの外周部が後方側に折れ曲がって注ぎ口Ｐｍの内壁に当たり、水漏れを防止する。ペットボトルＰには通気管６からチャンバ１４を介して一定の流量で空気が流入する。
第２実施例によれば、押し込み式のジョイント３１を採用したため、浄化時に、注ぎ口Ｐｍにジョイント３１をねじ込む必要はなく、より簡単に浄水器３０の取付を行うことができる。また、円板３１ａ〜３１ｄによって種々サイズの注ぎ口Ｐｍに浄水器３０を取り付けることができるため、ボトル容器の適用範囲が広がる。
本発明の第３実施例によるボトル容器用浄水器を図５に示す。
浄水器４０は、チャンバ１４の外側に装飾を施したものである。
通気管６の先端部に、魚の形状のカバー４１が取り付けられている。魚の胴体部分にチャンバ１４を配置し、口部分に屈曲部６ａの先端を配置している。
浄水時、浄水器４０の下方に一定量の浄化水が流出し、通気管６からチャンバ１４を通してペットボトルＰ内に空気が入る。ペットボトルＰ内に入った空気は、は、気泡となってカバー４１の口部分から一定間隔で連続的に上昇する。透明なペットボトルＰの外側から見ると、魚が泡を吹くように感じられ、視覚的な効果を高めることができる。
なお、チャンバ１４の装飾は、第３実施例の形状に限られず、キャラクタ等の人形、乗り物、建物、自然物（山や木など）等にしてもよい。また、第３実施例ではカバー４１に装飾を施しているが、チャンバ１４の形状に直接装飾を施してもよい。
また、第３実施例では、通気管６にネジ式の空気流量調整バルブ４２を設ける構成としている。空気流量調整バルブ４２を使用する場合、ネジの開度を調節することにより、ペットボトルＰに送る空気の流入量が増減する。したがって、浄水器４０に流れる水の流量を微調節することが可能になり、浄化率をさらに向上させることが可能になる。なお、空気流量調整バルブについては、ネジ式に限らず、ゲート式、ボール式等のバルブにすることもできる。
本発明の第４実施例を図６および図７に示す。
第４実施例による浄水器５０は、鍔１３に代えて、羽根板５１、５１を設けたものである。
ジョイント５の下端部に支軸５２ａ、５２ｂが設けられる。各支軸５２ａ、５２ｂの間隔は、羽根板５１、５１の横幅にほぼ等しい。羽根板５１、５１の上端部には支持片５３ａ、５３ｂが取り付けられる。支持片５３ａ、５３ｂの中央には、支軸５２ａ、５２ｂを挿入可能な軸孔が貫通している。支軸５２ａ、５２ｂに支持片５３ａ、５３ｂを取り付けると、支軸５２ａ、５２ｂを中心に羽根板５１、５１が上下に回動する。
羽根板５１、５１の板面は、フィルタケース２の筒側面に沿って断面円弧状に形成される。これにより、羽根板５１、５１を下げると、羽根板５１、５１がフィルタケース２の側面を覆う状態になる。
ジョイント５にはストッパ５４が設けられる。羽根板５１、５１を上方へ回動すると、羽根板５１、５１の上端がストッパ５４に当たり、ほぼ水平方向に保持される。
第４実施例によると、浄水時、羽根板５１、５１を拡げることで、鍋、やかん、水差し等の受け容器に浄水器５０を簡単にセットすることができる。しかも、羽根板５１、５１の不要の時は、フィルタケース２の側面に沿って収納できるので、浄水器５０の保管の際にも、邪魔にならない。
なお、羽根板５１、５１の側端部には、浄水器５０の安定性を高めるために滑止め５５を設けてもよい。
本発明の第５実施例を図８に示す。
第５実施例による浄水器５５は、分割式の通気管（上部管５６、下部管５７）を採用したものである。チャンバ５７の下方位置で上部管５６と下部管５７に分割される。ジョイント５の壁面に下部管５７が貫通し、下部管５７の先端に上部管５６が摺動可能に差し込まれる。上部管５６にはチャンバ５８および屈曲部５６ａが連なっている。チャンバ５７内には下部管５７の先端が開口している。
通気管５６によれば、チャンバ５７内に下部管５７の先端部を摺動させることで、チャンバ５７の容積を増減し、外部からペットボトルＰに流入する空気の圧力調整を行うことができる。また、図８に示すように、チャンバ５７に水が浸入しても、下部管５７の周囲に水が溜まるため、空気通路を遮断しにくい。この結果、空気流入量が安定し、浄水器５５に浄化水をよりスムーズに流すことが可能になる。
また、チャンバ５７に水が溜まった場合には、上部管５６と下部管５７とを分離することで、容易に水を取り除くことができる。
本発明の実施の形態として、前記第１〜５実施例を説明したが、その他の構成の変更も可能である。例えば、図９〜図１３に示すような変形例を採用することができる。
図９に示す変形例は、濾過材３に漏斗形のキャップ６１を接続したものである。アダプタ１９の雌ネジ部にキャップ６１の雄ネジ部が固定される。浄化水は、通水孔ＫおよびＬを通ってキャップ６１の給水孔Ｍから下方へ流れる。キャップ６０によれば、ペットボトルＢ等の口に浄化水を容易に取り込むことができる。
図１０に示す変形例は、弁蓋２８の内部にコイルバネ６５により開閉可能な弁体６６を設けたものである。漏斗部２８ｂの中央に支持ピン６７が摺動自在に挿入される。支持ピン６７の外側に給水孔Ｍが設けられる。支持ピン６７の外周にはコイルバネ６５が挿入され、支持ピン６７の下端のバネ座６８に支持される。支持ピン６７の上端に弁体６６が固定される。
図１０（Ａ）に示すように、浄水器を持ち上げると、弁体６６の下面がコイルバネ６５の付勢力によって漏斗部２８ｂに密着し、給水孔Ｍを閉じる。一方、図１０（Ｂ）に示すように、浄水器を平坦な面に置くと、浄水器の自重によってバネ座６８がコイルバネ６５を圧縮し、弁体６６を押し上げ、給水孔Ｍを開放する。
図１１に示す変形例は、平板状の弁体７１および弁蓋７２を採用したものである。弁体７１の中央に通水孔Ｌが設けられる。弁体７１の下面には、Ｏリング７３が固定される。
弁蓋７２は、筒部７２ａと蓋部７２ｂからなる。筒部７２ａの上端部にアダプタ１９に嵌合可能な雌ネジ部が形成される。筒部７２ａの下端部には脚７２ｃが形成される。
蓋部７２ｂの外周部には、周方向に給水孔Ｍが設けられる。蓋部７２ｂの上面中央には径外方向に向けて次第に下方へ傾斜する山部７２ｄが形成されている。
浄化水が通水孔ＫおよびＬを通過し、蓋部７２ｂに当たると、山部７２ｄの傾斜面により給水孔Ｍに案内されて下方に流れる。図１１の状態から弁蓋７２をアダプタ１９に締め付けると、蓋部７２ｂの上面がＯリング７３に押し付けられて給水孔Ｍへの通水路を遮断する。
図１２に示す変形例は、通気管８１の空気吐出部にセラミック等からなる多孔質体８２を設けたものである。通気管１８に流入する空気は、多孔質体８２から細かい気泡となってボトル容器内に浮き上がる。これにより、ボトル容器内では、水と空気との接触面積が大きくなって溶存酸素量を増大させることができる。
図１３に示す変形例は、通気管９１の空気流入部に逆止弁付きの手押しポンプ９２を設けたものである。ポンプ９２の吸気部および排気部にそれぞれ逆止弁９３、９４が取り付けられている。吸気口のキャップ９５には、通気孔９５ａが設けられる。手押しポンプ９２を作動させると、通気孔９５ａに吸い込まれた空気が通気管９１を介してボトル容器内に送り込まれる。ボトル容器内の気圧が高くなっても、逆止弁９４によって通気管９１側に逆流することはない。
このように手押しポンプ９２を用いると、水を浄化するときにボトル容器内の気圧を高めて浄化速度を速めることができる。また、濾過材の充填量が多くて浄化水が出にくい場合などに、濾過材に強制的に水を流すことが可能になる。
その他、本発明の実施の形態としては、チャンバ１４、補助管１７、屈曲部６ａ等を省略してもよい。また、ジョイント５は、ボトル容器の注ぎ口Ｐｍに密に嵌合する形状であれば、ねじ式、弾性板式の他、コルク栓式等を採用してもよい。
また、フィルタケースは、ゴム、樹脂等の弾性材料で形成してもよい。弾性材料でケース壁面を形成すると、浄化の操作毎にケースを外側から揉むことで、濾過材を簡単に移動させ、水道（みずみち）を塞いで濾過材の状態を良好に保つことができる。
また、前記実施例１〜５では、フィルタケースを露出させているが、ジョイントの下方にカプセル型の容器を取り付け、この容器にフィルタケースを収納する構成としてもよい。この場合、カプセル容器の上端部および下端部にネジ部や漏斗部を設けることで、浄水器へのフィルタの脱着を容易にすることができる。
産業上の利用可能性
以上説明したように、本発明のボトル容器用浄水器によれば、次のような優れた効果を奏する。
（ａ）  ボトル容器に一定量の空気を安定して供給するため、浄化水の流量を均一にすることができる。
（ｂ）  注ぎ口からボトル容器内に空気が吸い込まれにくいため、濾過材に水が接触しやすく浄化率が向上する。
（ｃ）  ボトル容器に穴あけ等の加工をしなくとも、簡単に浄水器を取り付けることができる。
（ｄ）  通気管の空気流入量を制御することにより濾過速度を調節することができることから、濾過材の種類や量を換えなくとも、浄化率を向上させ、良質な浄化水を得ることができる。
【図面の簡単な説明】
図１は本発明の第１実施例によるボトル容器用浄水器を示す側面図、図２は本発明の第１実施例によるボトル容器用浄水器を示す断面図、図３は本発明の第２実施例によるボトル容器用浄水器を示す部分断面図、図４は本発明の第２実施例によるボトル容器用浄水器の使用方法を説明するための部分断面図、図５は本発明の第３実施例によるボトル容器用浄水器を示す部分断面図、図６は本発明の第４実施例によるボトル容器用浄水器を示す部分断面図、図７は本発明の第４実施例によるボトル容器用浄水器を示す部分斜視図、図８は本発明の第５実施例によるボトル容器用浄水器を示す部分断面図、図９は本発明の第１〜５実施例の変形例を示す部分断面図、図１０は本発明の第１〜５実施例の他の変形例を示すもので、（Ａ）は弁体が閉じた状態を示す部分断面図、（Ｂ）は弁体が開いた状態を示す部分断面図、図１１〜図１３は本発明の第１〜５実施例の他の変形例を示す部分断面図である。
【図１】
0004744051.tif 000002
【図２】
0004744051.tif 000003
【図３】
0004744051.tif 000004
【図４】
0004744051.tif 000005
【図５】
0004744051.tif 000006
【図６】
0004744051.tif 000007
【図７】
0004744051.tif 000008
【図８】
0004744051.tif 000009
【図９】
0004744051.tif 000010
【図１０】
0004744051.tif 000011
【図１１】
0004744051.tif 000012
【図１２】
0004744051.tif 000013
【図１３】
0004744051.tif 000014